(57)【要約】【課題】外部光の影響が大きい場合であっても、視認性を充分大きくすることができ、しかも外観品質の高い自動二輪車等の鞍乗型車両用表示装置を提供する。【解決手段】目盛り３を有する文字盤２を備えた鞍乗型車両用表示装置であって、前記目盛り３は、前記文字盤２の平坦盤面部より突出するとともに、該平坦盤面部に対し傾斜して外部光を反射する傾斜面８を備えている。【選択図】        図３
2004309241.tif 000002
【特許請求の範囲】
【請求項１】
目盛りを有する文字盤を備えた鞍乗型車両用表示装置であって、
前記目盛りは、前記文字盤の平坦盤面部より突出するとともに、該平坦盤面部に対し傾斜して外部光を反射する傾斜面を備えていることを特徴とする鞍乗型車両用表示装置。
【請求項２】
前記目盛りは、相互に反対方向に傾斜する２つの傾斜面を備え、両傾斜面間に稜線が形成されたことを特徴とする請求項１に記載の鞍乗型車両用表示装置。
【請求項３】
前記目盛りは、少なくとも２つの傾斜面とその傾斜面の上縁部間をつなぐ頂面を備え、
その頂面の幅は、その頂面の前記平坦盤面部からの高さより小さく形成されていることを特徴とする請求項１に記載の鞍乗型車両用表示装置。
【請求項４】
前記傾斜面は、外方に膨らむ曲面であることを特徴とする請求項１，２又は３に記載の鞍乗型車両用表示装置。
【請求項５】
前記目盛りは、前記平坦盤面部から垂直に立上がり、その上部に前記傾斜面が形成されたことを特徴とする請求項１から４のいずれかに記載の鞍乗型車両用表示装置。
【請求項６】
前記稜線又は頂面が傾斜していることを特徴とする請求項１から５のいずれかに記載の鞍乗型車両用表示装置。
【請求項７】
前記傾斜面の裾部は、平面視で略流線型であることを特徴とする請求項１から６のいずれかに記載の鞍乗型車両用表示装置。
【請求項８】
前記傾斜面の裾部は、平面視で略楔形であることを特徴とする請求項１から６のいずれかに記載の鞍乗型車両用表示装置。
【請求項９】
前記平坦盤面部は光を透過させ、前記目盛りは光を遮断するように形成したことを特徴とする請求項１から８のいずれかに記載の鞍乗型車両用表示装置。
【請求項１０】
反射量が異なる複数種類の目盛りを備えたことを特徴とする請求項１から９のいずれかに記載の鞍乗型車両用表示装置。
【発明の詳細な説明】
【０００１】
【発明の属する技術分野】
本発明は、自動二輪車や三輪車その他運転者がシートに跨って走行する鞍乗型車両用の表示装置に関する。
【０００２】
【従来の技術】
自動二輪車のスピードメータが特許文献１に記載されている。この特許文献１に記載のスピードメータは、文字盤に文字や目盛り等を印刷により形成し、文字盤の下面側から光を照射して視認性を向上させようとしている。
【０００３】
しかしながら、印刷した文字や目盛り等は、実質上文字盤と同じ平面的な形状であり、特に日中における視認性を向上させることは難しい。また、視覚的にも変化に富んだ外観を得ることは難しく、外観向上に伴う視認感覚の向上等は期待できない。
【０００４】
一方、立体的な文字を形成したスピードメータの文字盤が特許文献２に記載されている。この特許文献２は、立体文字の頂面に印刷を施した文字盤及び立体文字を膨張性インキで形成した文字盤を記載する。
【０００５】
しかしながら、この特許文献２に記載の文字盤は，文字表面に印刷が施されたり、あるいは文字が膨張インキで形成されるため、視認性の向上及び外観の向上には限度がある。
【０００６】
一方、目盛りを立体的に形成した腕時計の文字盤が特許文献３に記載されている。この特許文献３は、文字盤上に目盛り等を突状に形成し、その裏面から光を照射する腕時計を記載する。
【０００７】
しかしながら、このこの特許文献３の文字盤の目盛りは、表面が平坦であり、視認性の向上及び外観の向上には限度がある。
【０００８】
また、目盛りを立体的に形成した腕時計用文字盤の製造方法が特許文献４に記載されている。この特許文献４に記載の文字盤は、文字盤ベース上に文字パターンを形成し、その上にメッキ及び塗装を施した後に、文字パターンを突出させ、突出部上面の塗装皮膜を除去して下地金属上にメッキを施し、さらにその上面に透明カラー樹脂層を形成したものである。
【０００９】
しかしながら、特許文献４は腕時計用の文字盤を開示するものであり、腕時計は、使用者の腕に着けて使用するため、真正面からの視認性が良好になるように設計され、外部光の影響で見にくいときは、腕の向きを変える等により容易に見易くすることができる。
【００１０】
これに対し、自動二輪車等の表示装置は、腕時計と比較すると表示面積が大きく、しかも車両に設けられるため視認性向上の必要度は大きく、腕時計の目盛りでは視認性及び外観品質の向上が充分ではなく、腕時計に関する特許文献４の技術をそのまま自動二輪車に転用することはできない。
【００１１】
【特許文献１】
特許第２７００６８１号公報
【特許文献２】
実開平５−３０７２９号公報
【特許文献３】
特開平８−１４９５０号公報
【特許文献４】
特開平５−１１９１６３号公報
【００１２】
【発明が解決しようとする課題】
本発明は、上記従来技術を考慮したものであって、外部光の影響が大きい場合であっても、視認性を充分大きくすることができ、しかも外観品質の高い自動二輪車等の鞍乗型車両用表示装置の提供を目的とする。
【００１３】
【課題を解決するための手段】
前記目的を達成するため、本発明では、目盛りを有する文字盤を備えた鞍乗型車両用表示装置であって、前記目盛りは、前記文字盤の平坦盤面部より突出するとともに、該平坦盤面部に対し傾斜して外部光を反射する傾斜面を備えていることを特徴とする鞍乗型車両用表示装置を提供する。
【００１４】
この構成によれば、目盛りを文字盤から突出させて目立たさせるとともに、高さや形状を大きくすることなく、外部光を反射させてさらに目立つように目盛りが形成されるため、視認性が大きく向上し、かつ外部光の反射により、変化に富んだ外観が得られ、外観品質の向上が図られる。
【００１５】
好ましい構成例では、前記目盛りは、相互に反対方向に傾斜する２つの傾斜面を備え、両傾斜面間に稜線が形成されたことを特徴としている。
【００１６】
この構成によれば、中央の稜線を挟んで、その両側に反対方向に傾斜する２つの傾斜面を設けることにより、高さや形状を大きくすることなく、両傾斜面による反射光のコントラストを大きくして視認性の向上及び外観品質の向上が図られる。
【００１７】
好ましい構成例では、前記目盛りは、少なくとも２つの傾斜面とその傾斜面の上縁部間をつなぐ頂面を備え、その頂面の幅は、その頂面の前記平坦盤面部からの高さより小さく形成されていることを特徴としている。
【００１８】
この構成によれば、２つの傾斜面間に頂面が形成され、その頂面の幅寸法は高さ寸法より小さいため、高さや形状を大きくすることなく、両側の傾斜面及び頂面による反射光の多様性を増して視認性とともに外観品質を向上させることができる。
【００１９】
好ましい構成例では、前記傾斜面は、外方に膨らむ曲面であることを特徴としている。
【００２０】
この構成によれば、高さや形状を大きくすることなく、様々な角度の外部光を変化に富ませてきれいに反射し、視認性とともに外観品質を向上させることができる。
【００２１】
好ましい構成例では、前記目盛りは、前記平坦盤面部から垂直に立上がり、その上部に前記傾斜面が形成されたことを特徴としている。
【００２２】
この構成によれば、小さな形状で目盛りを目立たせて視認性及び外観品質の向上を図ることができる。
【００２３】
好ましい構成例では、前記稜線又は頂面が傾斜していることを特徴としている。
【００２４】
この構成によれば、傾斜面だけでなく、この傾斜面の上縁である目盛りの稜線又は傾斜面間の頂面が傾斜しているため、立体感が強くなり、視認性の向上とともに外観品質の向上を図ることができる。
【００２５】
好ましい構成例では、前記傾斜面の裾部は、平面視で略流線型であることを特徴としている。
【００２６】
この構成によれば、高さや形状を大きくすることなく、視認性の向上及び外観品質の向上を図ることができる。
【００２７】
好ましい構成例では、前記傾斜面の裾部は、平面視で略楔形であることを特徴としている。
【００２８】
この構成によれば、高さや形状を大きくすることなく、視認性の向上及び外観品質の向上を図ることができる。
【００２９】
好ましい構成例では、前記平坦盤面部は光を透過させ、前記目盛りは光を遮断するように形成したことを特徴としている。
【００３０】
この構成によれば、目盛りの傾斜面により、日中は外部光を反射して視認性及び外観品質の向上が図られ、夜間においても、文字盤下面から光を照射することにより、目盛りで光が遮断され、その目盛り周囲の平坦盤面部を通して光が透過するため、目盛り周囲が明るくなって視認性の向上及び外観品質の向上を図ることができる。
【００３１】
好ましい構成例では、反射量が異なる複数種類の目盛りを備えたことを特徴としている。
【００３２】
この構成によれば、反射量が異なる複数種類の目盛りが備わるため、各目盛りの傾斜面からの反射光により視認性及び外観品質の向上が図られるとともに、反射による外観の多様性が増して外観品質の向上がさらに図られる。
【００３３】
【発明の実施の形態】
図１は、本発明の実施形態に係るスピードメータの外観図である。
円形のスピードメータ１は、平坦な盤面からなる文字盤２上に、外周縁の円弧に沿って主目盛り３及びその内周側に副目盛り４が形成される。５は文字盤の取付孔、６はスピード指針（不図示）の装着孔、７は燃料指針（不図示）の装着孔である。主目盛り３及び副目盛り４は、平坦盤面の文字盤２から突出するとともに、後述のように外部光を反射する傾斜面を有している。副目盛り４は、主目盛り３より小さな形状である。また、主目盛り３と副目盛り４は、後述のように、金属材料の種類を変える等により反射量を変えて、区別化することが好ましい。
【００３４】
図２は本発明の実施形態に係る目盛りの斜視図、図３（Ａ）〜（Ｃ）はその上面図、側面図及び正面図である。この実施形態は、上記図１の主目盛り３を図示したものである。
【００３５】
前述のように文字盤２から突出する主目盛り３は、長手方向に稜線９を形成するように、中央から両側に向けて反対方向に傾斜して山形を形成する２つの傾斜面８を有する。この主目盛り３の各傾斜面８の裾部１０は、略流線型である。稜線９もなだらかに傾斜している。稜線９及び各傾斜面８は、幾分外側に膨らむように凸曲線あるいは凸曲面状に傾斜している。裾部１０の形状は、流線型に限らず、他の曲線又は直線形状でもよい。例えば、両方の裾部１０で平面視が楔状になるように形成してもよい。
【００３６】
図４は、本発明の別の実施形態の図３（Ｃ）に対応した正面図である。
（Ａ）の例では、両側の傾斜面８の上縁部に両傾斜面８同士をつなぐ頂面１１が形成される。この頂面１１も前述の図３（Ｂ）の稜線９と同様になだらかに傾斜していることが好ましい。この頂面１１の幅は、文字盤２の盤面からの高さ寸法より狭い。
【００３７】
（Ｂ）の例では、目盛り３は、文字盤２から一旦垂直に立上げて突出させ、その上に傾斜面８を形成している。
【００３８】
図５は、本発明に係る目盛りの断面構成の説明図である。
（Ａ）は、樹脂材料からなる文字盤２に金属材料又は金属蒸着した樹脂材料からなる目盛り１２を取付け、その表面及び裏面全体を透明層１３で覆ったものである。透明層１３は、アクリル等の樹脂フィルムあるいはポリカガラス等のガラス膜である。
【００３９】
文字盤２は、光を透過させるように、例えば透明あるいは半透明の透光性樹脂材料で構成することが好ましい。これに対し、目盛り１２は、光を遮断するように、例えば金属材料で形成したり、あるいは文字盤と同じ透光性材料を用いてこれに金属蒸着を施したり又はメッキや塗装等を施して形成する。
文字盤２の裏面側に光源を設けて光を照射することにより、非透光性の目盛り１２の部分で光が遮断され、周囲とのコントラストが明確になって、視認性が高まる。なお、表面又は裏面の一方あるいは両方の透明樹脂フィルム１３は省略してもよい。
【００４０】
（Ｂ）は、金属あるいは樹脂のブロックにより目盛り１４を形成し、その底面の差込片１４ａを樹脂からなる文字盤２に嵌め込んだものである。
【００４１】
（Ｃ）は、文字盤２の目盛り部に反射金属板１６を接合し、その上に透明突起１５を形成したものである。文字盤２上も透明突起１５と同じ透明材料の膜で覆ってもよい。
【００４２】
上記各実施例で、目盛りの形状や傾斜面の角度及び突出高さあるいは金属材料や透明層の色や種類等を変えることにより、外部光に対する反射量が変わり、所望の反射視認効果が得られる。
【００４３】
このような立体的な目盛りは、機械加工やメッキその他前述の特許文献等に記載されている各種公知の方法により製造することができる。
【００４４】
【発明の効果】
以上説明したように、本発明では、目盛りを文字盤から突出させて目立たさせるとともに、高さや形状を大きくすることなく、外部光を反射させてさらに目立つように目盛りが形成されるため、視認性が大きく向上し、かつ外部光の反射により、変化に富んだ外観が得られ、外観品質の向上が図られる。
【００４５】
また、前記目盛りは、相互に反対方向に傾斜する２つの傾斜面を備え、両傾斜面間に稜線が形成された構成によれば、中央の稜線を挟んで、その両側に反対方向に傾斜する２つの傾斜面を設けることにより、高さや形状を大きくすることなく、両傾斜面による反射光のコントラストを大きくして視認性の向上及び外観品質の向上が図られる。
【００４６】
また、前記目盛りは、少なくとも２つの傾斜面とその傾斜面の上縁部間をつなぐ頂面を備え、その頂面の幅は、その頂面の前記平坦盤面部からの高さより小さく形成されている構成によれば、２つの傾斜面間に頂面が形成され、その頂面の幅寸法は高さ寸法より小さいため、高さや形状を大きくすることなく、両側の傾斜面及び頂面による反射光の多様性を増して視認性とともに外観品質を向上させることができる。
【００４７】
また、前記傾斜面は、外方に膨らむ曲面である構成によれば、高さや形状を大きくすることなく、様々な角度の外部光を変化に富ませてきれいに反射し、視認性とともに外観品質を向上させることができる。
【００４８】
また、前記目盛りは、前記平坦盤面部から垂直に立上がり、その上部に前記傾斜面が形成された構成によれば、小さな形状で目盛りを目立たせて視認性及び外観品質の向上を図ることができる。
【００４９】
また、前記稜線又は頂面が傾斜している構成によれば、傾斜面だけでなく、この傾斜面の上縁である目盛りの稜線又は傾斜面間の頂面が傾斜しているため、立体感が強くなり、視認性の向上とともに外観品質の向上を図ることができる。
【００５０】
また、前記傾斜面の裾部は、平面視で略流線型である構成によれば、高さや形状を大きくすることなく、視認性の向上及び外観品質の向上を図ることができる。
【００５１】
また、前記傾斜面の裾部は、平面視で略楔形である構成によれば、高さや形状を大きくすることなく、視認性の向上及び外観品質の向上を図ることができる。
【００５２】
また、前記平坦盤面部は光を透過させ、前記目盛りは光を遮断するように形成した構成によれば、目盛りの傾斜面により、日中は外部光を反射して視認性及び外観品質の向上が図られ、夜間においても、文字盤下面から光を照射することにより、目盛りで光が遮断され、その目盛り周囲の平坦盤面部を通して光が透過するため、目盛り周囲が明るくなって視認性の向上及び外観品質の向上を図ることができる。
【００５３】
また、反射量が異なる複数種類の目盛りを備えた構成によれば、反射量が異なる複数種類の目盛りが備わるため、各目盛りの傾斜面からの反射光により視認性及び外観品質の向上が図られるとともに、反射による外観の多様性が増して外観品質の向上がさらに図られる。
【図面の簡単な説明】
【図１】本発明の実施形態に係るスピードメータの正面図。
【図２】本発明に係る目盛りの斜視図。
【図３】図２の目盛りの形状説明図。
【図４】本発明の別の実施形態の形状説明図。
【図５】本発明の目盛りの断面構成説明図。
【符号の説明】
１：スピードメータ、２：文字盤、３：主目盛り、４：副目盛り、
５：文字盤の取付孔、６：スピード指針の装着孔、７：燃料指針の装着孔、
８：傾斜面、９：稜線、１０：裾部、１１：頂面、１２：目盛り、
１３：透明樹脂フィルム、１４：目盛り、１４ａ：差込片、１５：透明突起。
【図１】
2004309241.tif 000003
【図２】
2004309241.tif 000004
【図３】
2004309241.tif 000005
【図４】
2004309241.tif 000006
【図５】
2004309241.tif 000007
【手続補正書】
【提出日】平成16年1月22日(2004.1.22)
【手続補正１】
【補正対象書類名】明細書
【補正対象項目名】請求項６
【補正方法】変更
【補正の内容】
【請求項６】
前記稜線又は頂面が、目盛りの長手方向において傾斜していることを特徴とする請求項３から５のいずれかに記載の鞍乗型車両用表示装置。
【手続補正２】
【補正対象書類名】明細書
【補正対象項目名】請求項９
【補正方法】変更
【補正の内容】
【請求項９】
前記平坦盤面部は文字盤後方からの光を透過させ、前記目盛りは文字盤後方からの光を遮断するように形成したことを特徴とする請求項１から８のいずれかに記載の鞍乗型車両用表示装置。
【手続補正３】
【補正対象書類名】明細書
【補正対象項目名】００２３
【補正方法】変更
【補正の内容】
【００２３】
好ましい構成例では、前記稜線又は頂面が、目盛りの長手方向において傾斜していることを特徴としている。


【手続補正４】
【補正対象書類名】明細書
【補正対象項目名】００２９
【補正方法】変更
【補正の内容】
【００２９】
好ましい構成例では、前記平坦盤面部は文字盤後方からの光を透過させ、前記目盛りは文字盤後方からの光を遮断するように形成したことを特徴としている。